(57)【要約】【課題】  撮影用照明装置において、過度な電圧降下による動作不安定を回避しつつ、充電完了待ちのデットロック状態を防止する技術を提供する【解決手段】  本発明の撮影用照明装置は、照明部、蓄積部、充電回路、および制御部を備える。照明部は、被写体を照明する。蓄積部は、照明部の駆動電圧を蓄える。充電回路は、電池の出力電圧を用いて蓄積部を充電する。このとき、充電回路は、電池の出力電圧が所定の閾値電圧よりも電圧降下すると、蓄積部の充電動作を停止する。制御部は、充電回路に充電指示を行って充電完了の待機動作を開始し、その開始時点から所定時間後に充電未完了を検出した場合に待機動作を停止する。【選択図】      図１
2007018854.tif 000002
【特許請求の範囲】
【請求項１】
被写体を照明する照明部と、
前記照明部に供給する駆動電圧を蓄える蓄積部と、
装填された電池の出力電圧を用いて前記蓄積部を充電し、前記電池の出力電圧が所定の閾値電圧よりも電圧降下すると、前記蓄積部の充電動作を停止する充電回路と、
前記充電回路に充電指示を行って充電完了の待機動作を開始し、その開始時点から所定時間後に充電未完了であれば前記待機動作を停止する制御部と、
を備えたことを特徴とする撮影用照明装置。
【請求項２】
請求項１に記載の撮影用照明装置において、
前記制御部は、前記所定時間後に充電未完了であれば電池消耗と判断して、前記電池消耗の表示を行う
ことを特徴とする撮影用照明装置。
【請求項３】
請求項２に記載の撮影用照明装置において、
前記制御部は、前記電池消耗と判断すると、前記所定時間を長く設定変更する
ことを特徴とする撮影用照明装置。
【請求項４】
請求項２に記載の撮影用照明装置において、
前記制御部は、複数の所定時間ごとに充電未完了を判定することにより、電池消耗の程度を複数段階にわたって判断し、前記電池消耗の程度を複数段階で表示する
ことを特徴とする撮影用照明装置。
【請求項５】
請求項１ないし請求項４のいずれか１項に記載の撮影用照明装置と、
前記撮影用照明装置を用いて照明撮影を実施するカメラと
を備えたことを特徴とするカメラシステム。                                                                                
【発明の詳細な説明】
【技術分野】
【０００１】
本発明は、撮影用照明装置、およびその装置を備えたカメラシステムに関する。
【背景技術】
【０００２】
従来、キセノン管などを用いて被写体を照明する撮影用照明装置が知られている。この種の撮影用照明装置では、発光電力を蓄積する主コンデンサに高圧電圧（昇圧電圧）を急速充電する必要がある。そのため、撮影用照明装置には、電池容量が大きく、かつ多少の電池消耗によっても内部抵抗や開放電圧が変化しにくいリチウム電池やリチウムイオン電池などの使用が推奨される。
【０００３】
一方、アルカリ電池やマンガン電池は、一般的な電子機器で使用されるため、安価かつ普及率も高く、駅売店やコンビニなどで簡単に入手できる。
そこで、従来の撮影用照明装置（または、その装置を搭載するカメラ）では、アダプタ等を用意して、アルカリ電池またはマンガン電池を使用可能にするものがある。
しかし、これらのアルカリ電池やマンガン電池には、電池内の内部抵抗によって大きな電圧降下を生じる不適切なものが存在する。この電圧降下によって制御部（ＣＰＵなど）の電源電圧も下がり、システムリセットが起こるなどの不具合が懸念される。
【０００４】
そこで、電池の電圧降下が一定以上になると、主コンデンサの充電動作を緊急停止する充電回路が知られていた。
【０００５】
また、特許文献１のように、所定時間後に充電完了したか否かを判断し、充電が未完了であれば、充電動作を停止するカメラも知られていた。
【特許文献１】特開平９−５４３６０号公報（請求項１など）
【発明の開示】
【発明が解決しようとする課題】
【０００６】
ところで、上述したように電圧降下によって回路的に充電動作が緊急停止された場合、充電指示を出した制御部側ではこの緊急停止を直接知ることができない。そのため、充電完了信号を待ち続けるデットロック状態が発生する。このデットロック状態は、もともと不適切な電池の使用が原因であるため、適切な電池に交換することによって解消することができる。しかしながら、このようなデットロック状態が生じると、ユーザーは装置自体が故障したと勘違いするといった問題が生じる。
【０００７】
また、特許文献１のような時間制限による充電停止の動作では、電池電圧の過度な電圧降下に対処できない。そのため、制御部の電源電圧が下がってシステムリセットがかかるなどの不具合を回避することができない。
【０００８】
そこで、本発明は、これらの問題点に鑑みて、過度な電圧降下による動作不安定を回避しつつ、充電完了待ちのデットロック状態を防止することのできる技術を提供することを目的とする。
【課題を解決するための手段】
【０００９】
《１》  本発明の撮影用照明装置は、照明部、蓄積部、充電回路、および制御部を備える。
照明部は、被写体を照明する。
蓄積部は、照明部に供給する駆動電圧を蓄える。
充電回路は、装填された電池の出力電圧を用いて蓄積部を充電する。このとき、充電回路は、電池の出力電圧が所定の閾値電圧よりも電圧降下すると、蓄積部の充電動作を停止する。
制御部は、充電回路に充電指示を行って充電完了の待機動作を開始し、その開始時点から所定時間後に充電未完了を検出した場合は待機動作を停止する。
【００１０】
《２》  なお好ましくは、制御部は、所定時間後に充電未完了を検出すると、電池消耗の状態と判断する。制御部は、この電池消耗の判断結果に基づいて、電池の状態表示を行う。
【００１１】
《３》  また好ましくは、制御部は、電池消耗と判断すると、所定時間を長く設定変更する。
【００１２】
《４》  なお好ましくは、制御部は、複数の所定時間ごとに充電未完了を判定することにより、電池消耗の程度を複数段階にわたって判断する。そして、制御部は、この電池消耗の程度を複数段階で表示する。なお、待機動作については、複数の所定時間のいずれかにおいて充電未完了を検出した時点で停止すればよい。
【００１３】
《５》  本発明のカメラシステムは、請求項１ないし請求項４のいずれか１項に記載の撮影用照明装置と、撮影用照明装置を用いて照明撮影を実施するカメラとを備えたことを特徴とする。
【発明の効果】
【００１４】
［請求項１，５］  本発明では、充電回路が、電池の電圧降下をモニタして、過度な電圧降下に対処して蓄積部の充電動作を停止する。したがって、電圧降下による動作の不安定現象を防止することが可能になる。
一方、制御部側では、充電完了の待機動作を行うが、所定時間後に充電が未完了であれば、この待機動作を停止する。したがって、電圧降下による充電停止に気付かずに、充電を待機し続けるといったデットロック状態を回避できる。
【００１５】
［請求項２］  なお好ましくは、制御部は、所定時間後の充電未完了の判定結果を、電池消耗の判定にも利用する。
【００１６】
［請求項３］  また好ましくは、制御部は、電池消耗の判断に従って所定時間を長く設定変更する。この動作により、電池出力が十分にある状態では、所定時間が比較的に短く設定される。そのため、電圧降下による充電停止を逸早く検出することが可能になり、余計な待機時間の発生を抑えることができる。その結果、余計な待機時間によって装置の動作が妨げられることがなく、装置の操作性を高めることが可能になる。
一方、電池消耗の状態においては、所定時間が比較的に長く設定される。これにより、充電完了の可能性を高めることができる。その結果、電池の残電力をなるべく使い切ることが可能になる。
【００１７】
［請求項４］  なお好ましくは、制御部は、複数の所定時間ごとに充電未完了を判定する。これによって、電池消耗の程度を複数段階にわたって判断する。具体的には、長い所定時間において充電未完了を検出するほど、電池消耗が激しいと判断できる。この判断ロジックにより、電池消耗の程度をより細かく判断できる。
【発明を実施するための最良の形態】
【００１８】
《第１実施形態》
［第１実施形態の構成説明］
図１は、カメラシステム（撮影用照明装置を含む）のブロック図である。図１に示すように、カメラシステム１１には、電池１２が装填される。この電池１２の出力電圧は、不図示の安定化電源回路を介して電圧安定化された後、ＣＰＵ１３などのシステム各部へ供給される。
さらに、この電池１２の出力電圧は、昇圧回路１４にも供給される。昇圧回路１４は、電池１２の出力電圧を昇圧して、主コンデンサ１５に充電する。この主コンデンサ１５に蓄積された電荷は、発光管１６（キセノン管など）の発光に使用される。
ＣＰＵ１３は、この充電動作のタイミングを指示するため、充電指示信号ＯＳＣを出力する。一方、電池電圧比較回路１７は、電池１２の出力電圧をモニタし、閾値電圧より下がる電圧降下を検出すると、負論理の電圧降下信号ＳＴを出力する。
充電停止回路１８は、電圧降下信号ＳＴに基づいて、充電指示信号ＯＳＣを遮断することによって、昇圧回路１４の充電動作を緊急停止させる。
一方、昇圧回路１４側では、主コンデンサ１５の充電動作が正常終了すると、充電完了信号ＲＤＹをＣＰＵ１３へ出力する。この充電完了信号ＲＤＹによって、ＣＰＵ１３は充電動作の正常終了と判断し、撮像部２０を用いた照明撮影の制御動作に移行する。
すなわち、充電動作の正常終了後に、レリーズ釦２２によるレリーズ操作を受け付けると、ＣＰＵ１３は、撮像部２０に撮像動作を指示する。この撮像動作の露光タイミングを合わせて、ＣＰＵ１３は発光回路１９に発光開始信号ＴＲＧを出力し、発光管１６を発光させる。
【００１９】
図２は、電池電圧比較回路１７および充電停止回路１８の回路例を示す図である。
カメラシステム１１の電源スイッチがオンされて、電源電圧Ｖｃｃが立ち上がると、トランジスタＴｒ１およびトランジスタＴｒ２がオンする。その結果、電池１２の出力電圧は、抵抗Ｒ１，Ｒ２によって分圧される。コンパレータＣＭＰは、この出力電圧の分圧値と比較電圧Ｖｒｅｆとを電圧比較することで、負論理の電圧降下信号ＳＴを出力する。アンド回路Ｑは、この電圧降下信号ＳＴと、充電指示信号ＯＳＣとの論理積を取ることによって、充電指示信号ＯＳＣ′を出力する。
【００２０】
［第１実施形態の動作説明］
図３は、主コンデンサ１５の充電制御を説明する流れ図である。以下、図３に示すステップ番号の順に、この動作を説明する。
【００２１】
ステップＳ１：  ＣＰＵ１３は、主コンデンサ１５の充電開始に先立って、内部の発光許可フラグ、および充電強制停止フラグをクリアする。
【００２２】
ステップＳ２：  さらに、ＣＰＵ１３は、タイマー割り込み機能（以下『充電監視タイマー』）を用いて、充電期間の計時を開始する。
【００２３】
ステップＳ３：  この状態で、ＣＰＵ１３は、充電指示信号ＯＳＣをハイレベルに立ち上げる。
【００２４】
ステップＳ４：  ＣＰＵ１３は、昇圧回路１４が出力する充電完了信号ＲＤＹを判定することで、主コンデンサ１５の充電が正常終了した否かを判定する。
充電が正常終了した場合、ＣＰＵ１３はステップＳ５に動作を移行する。
一方、充電が未完了の場合、ＣＰＵ１３はステップＳ７に動作を移行する。
【００２５】
ステップＳ５：  ＣＰＵ１３は、充電完了に応じて、充電指示信号ＯＳＣをローレベルに立ち下げ、充電指示を停止させる。
【００２６】
ステップＳ６：  ＣＰＵ１３は、発光許可フラグをセットする。次に、ＣＰＵ１３は、表示部２１に充電完了マークを表示する。これらの動作の後、ＣＰＵ１３はステップＳ１３に動作を移行する。
【００２７】
ステップＳ７：  ＣＰＵ１３は、充電監視タイマーにより充電開始から所定時間Ｔａが経過したか否かを判断する。この所定時間Ｔａは、消耗無しの適切な電池１２を使用した場合に、主コンデンサ１５の充電完了までにかかるおおよその見込み時間である。
充電開始からこの所定時間Ｔａを経過した場合、ＣＰＵ１３はステップＳ８に動作を移行する。
一方、それ以外の場合、ＣＰＵ１３はステップＳ９に動作を移行し、充電完了の待機動作を継続する。
【００２８】
ステップＳ８：  ここでは、充電開始から所要時間Ｔａを経過しても、充電完了しないため、電池１２は初期消耗の状態にあると判断できる。そこで、ＣＰＵ１３は、表示部２１の表示を、消耗無しの表示（図４［Ａ］参照）から、初期消耗の表示（図４［Ｂ］参照）へ切り換える。このような動作の後、ＣＰＵ１３はステップＳ９に動作を移行する。
【００２９】
ステップＳ９：    ＣＰＵ１３は、充電開始から所定時間Ｔｂが経過したか否かを判断する。この所定時間Ｔｂは、初期消耗の適切な電池１２を使用した場合に、主コンデンサ１５の充電完了までにかかるおおよその見込み時間である。
なお、所定時間Ｔｂは、電圧降下による充電停止を判断する制限時間である。そのため、所定時間Ｔｂが短すぎた場合、単に電池１２が消耗しているために充電に時間が掛かっているのか、電圧降下による充電停止状態なのかを判断できなくなる。そのため、所定時間Ｔｂは、これを考慮して決定する必要がある。
ここで、充電開始から所定時間Ｔｂを経過した場合、ＣＰＵ１３はステップＳ１０に動作を移行する。
一方、それ以外の場合、ＣＰＵ１３はステップＳ４に動作を戻し、充電完了の待機動作を継続する。
【００３０】
ステップＳ１０：  ここでは、充電開始から所定時間Ｔｂを経過しても充電が完了しないため、ＣＰＵ１３は、充電指示信号ＯＳＣをローレベルに立ち下げ、充電指示を取り下げる。
【００３１】
ステップＳ１１：  ＣＰＵ１３は、表示部２１の表示を、初期消耗の表示（図４［Ｂ］参照）から、完全消耗の表示（図４［Ｃ］参照）に切り換える。この完全消耗の表示は、電池１２の特性に何らかの問題（推奨されない電池であるなど）があるため、ユーザーに電池交換を推奨するといった表示でもある。
【００３２】
ステップＳ１２：  ＣＰＵ１３は、充電強制停止フラグをセットする。
【００３３】
ステップＳ１３：  ＣＰＵ１３は、充電監視タイマーを停止させ、充電完了の待機動作を停止する。その後、ＣＰＵ１３は、撮像部２０による撮影動作へ移行する。
このとき、発光許可フラグがセット状態の場合、ＣＰＵ１３は発光管１６を発光させることで照明撮影を実施することができる。一方、充電強制停止フラグがセット状態の場合、ＣＰＵ１３は発光管１６を発光させることができない旨をユーザーに通知する。ユーザーは、発光管１６を発光させないまま撮影を続行するか、撮影中止するかの判断を行う。
【００３４】
［第１実施形態の効果など］
以上説明したように、第１実施形態では、電池電圧比較回路１７および充電停止回路１８によって、電池１２の電圧降下をモニタする。そして、過度な電圧降下に対処して主コンデンサ１５の充電動作を停止させる。したがって、電池１２の過度な電圧降下によるシステムリセットを回避することができる。
【００３５】
さらに、第１実施形態では、ＣＰＵ１３が、電池電圧比較回路１７などによる監視動作とは別に、時間制限を設けた充電完了の待機動作を実施する。このとき、充電開始から所定時間Ｔｂを経過しても充電が完了しない場合、ＣＰＵ１３は充電完了の待機動作を停止する。その結果、ＣＰＵ１３が、電圧降下による充電停止に気付かないまま、充電完了を待機し続けるといったデットロック状態を防止できる。
【００３６】
また、第１実施形態では、所定時間を２段階に切り換えることで、電池消耗の程度を初期消耗と完全消耗の２段階にわたって判断する。その結果、電池消耗の程度を細かく表示することができる。
次に、別の実施形態について説明する。
【００３７】
《第２実施形態》
第２実施形態のカメラシステムは、第１実施形態（図１，図２）と同じ構成のため、ここでの構成説明を省略する。
図５は、第２実施形態の動作を説明する流れ図である。以下、図５に示すステップ番号の順に、この動作を説明する。
【００３８】
ステップＳ２１：  第１実施形態のステップＳ１と同じ処理。
【００３９】
ステップＳ２２：  ＣＰＵ１３は、電池１２の消耗状態（表示部２１の消耗表示）を判定する。
ここで、電池１２がほぼ消耗無し（図４［Ａ］参照）である場合、ＣＰＵ１３はステップＳ２３に動作を移行する。
ここで、電池１２が消耗有り（図４［Ｂ］［Ｃ］参照）の場合、ＣＰＵ１３はステップＳ２４に動作を移行する。
なお、撮影動作に支障をきたすほどに電池１２が消耗している場合、カメラシステム１１の別の動作シーケンスによって、この充電動作および撮影動作そのものは禁止される。
【００４０】
ステップＳ２３：  ＣＰＵ１３は、所定時間Ｔの値に時間Ｔ１を設定する。この時間Ｔ１は、消耗無しの適正な電池１２であれば、主コンデンサ１５の充電完了にこれ以上はかからないという短めの時間である。この設定動作の後、ＣＰＵ１３はステップＳ２５に動作を移行する。
【００４１】
ステップＳ２４：  ＣＰＵ１３は、所定時間Ｔの値に時間Ｔ２を設定する。この時間Ｔ２は、電池１２が消耗有りの条件であっても、ここまで延長すれば主コンデンサ１５の充電を完了できるという長めの時間である。この設定動作の後、ＣＰＵ１３はステップＳ２５に動作を移行する。
【００４２】
ステップＳ２５〜Ｓ２６：  第１実施形態のステップＳ２〜Ｓ３と同じ処理。
【００４３】
ステップＳ２７：  ＣＰＵ１３は、昇圧回路１４が出力する充電完了信号ＲＤＹを判定することにより、主コンデンサ１５の充電が正常に終了したか否かを判定する。
充電が正常終了した場合、ＣＰＵ１３はステップＳ２８に動作を移行する。
一方、充電が未完了の場合、ＣＰＵ１３はステップＳ３０に動作を移行する。
【００４４】
ステップＳ２８〜Ｓ３１：  第１実施形態のステップＳ５〜Ｓ８と同じ処理。
【００４５】
ステップＳ３２：    ＣＰＵ１３は、充電監視タイマーにより充電開始から所定時間Ｔが経過したか否かを判断する。
充電開始から所定時間Ｔを経過した場合、ＣＰＵ１３はステップＳ３３に動作を移行する。
一方、それ以外の場合、ＣＰＵ１３はステップＳ２７に動作を戻す。
【００４６】
ステップＳ３３：  ここでは、充電開始から所定時間Ｔを経過しても充電が完了しないため、ＣＰＵ１３は、充電指示信号ＯＳＣをローレベルに立ち下げ、充電指示を取り下げる。
【００４７】
ステップＳ３４〜Ｓ３６：  第１実施形態のステップＳ１１〜Ｓ１３と同じ処理。
【００４８】
［第２実施形態の効果など］
以上説明したように、第２実施形態では、第１実施形態と同様の効果を得ることができる。
さらに、第２実施形態では、電池消耗が少ない場合、所定時間Ｔを比較的短い時間Ｔ１に設定する。このように電池消耗が少ない状態では、適正な電池１２を使用していれば、短い時間Ｔ１以内に主コンデンサ１５の充電が完了する。そのため、所定時間を短い時間Ｔ１よりも長くしても無意味である。さらに、過度な電圧降下による充電停止状態を、短い時間Ｔ１で逸早く検出することも可能となる。
【００４９】
その結果、余計な待機時間を早く脱出することが可能になり、カメラシステム１１の操作性を高めることができる。
【００５０】
また、電池消耗が大きい場合、所定時間を比較的長い時間Ｔ２に設定する。その結果、充電完了までじっくり待機できるようになり、電池１２の残電力をなるべく使い切ることが可能になる。
次に、別の実施形態について説明する。
【００５１】
《第３実施形態》
第３実施形態のカメラシステムは、第１実施形態（図１，図２）と同じ構成のため、ここでの構成説明を省略する。
図６は、第３実施形態の動作を説明する流れ図である。以下、図６に示すステップ番号の順に、この動作を説明する。
【００５２】
ステップＳ４１：  ＣＰＵ１３は、主コンデンサ１５の充電開始に先立って、内部の発光許可フラグ、タイムアウトフラグ１、およびタイムアウトフラグ２をクリアする。なお、このタイムアウトフラグ２は、第１実施形態の充電強制停止フラグと同じものである。
【００５３】
ステップＳ４２：  さらに、ＣＰＵ１３は、充電監視タイマーに所定時間Ｔをセットし、充電時間の計時を開始する。
【００５４】
ステップＳ４３：  この状態で、ＣＰＵ１３は、充電指示信号ＯＳＣをハイレベルに立ち上げ、充電完了の待機動作に入る。
【００５５】
ステップＳ４４：  ＣＰＵ１３は、昇圧回路１４が出力する充電完了信号ＲＤＹを判定することにより、主コンデンサ１５の充電が正常終了した否かを判定する。
充電が正常終了した場合、ＣＰＵ１３はステップＳ４５に動作を移行する。
一方、充電が未完了の場合、ＣＰＵ１３はステップＳ４７に動作を移行する。
【００５６】
ステップＳ４５〜Ｓ４６：  第１実施形態のステップＳ５〜Ｓ６と同じ処理。
【００５７】
ステップＳ４７：  ＣＰＵ１３は、タイムアウトフラグ１がリセット状態の場合、ステップＳ４８に動作を移行する。一方、ＣＰＵ１３は、タイムアウトフラグ１が既にセット状態にある場合、ステップＳ５１に動作を移行する。
【００５８】
ステップＳ４８：  ＣＰＵ１３は、充電監視タイマーにより、充電開始から所定時間Ｔが経過したか否かを判断する。
ここで、充電開始から所定時間Ｔを経過した場合、ＣＰＵ１３はステップＳ４９に動作を移行する。
一方、充電開始から所定時間Ｔを経過していない場合、ＣＰＵ１３はステップＳ４４に動作を戻し、充電完了の待機動作を継続する。
【００５９】
ステップＳ４９：  ここでは、充電開始から所要時間Ｔを経過しても、充電完了しないため、電池１２は初期消耗の状態にあると判断する。そこで、ＣＰＵ１３は、表示部２１の表示を、ほぼ消耗無しの表示（図４［Ａ］参照）から、初期消耗の表示（図４［Ｂ］参照）へ切り換える。このとき、ＣＰＵ１３はタイムアウトフラグ１をセットする。
【００６０】
ステップＳ５０：  ＣＰＵ１３は、充電監視タイマーに延長時間ｔを改めてセットし、充電時間の計時を再開する。この延長時間ｔを、電池１２の消耗状態に応じて増減させることにより、第２実施形態と同様の効果を得ることも可能である。
【００６１】
ステップＳ５１：  ＣＰＵ１３は、充電監視タイマーにより、ステップＳ５０の計時再開から延長時間ｔが経過したか否かを判断する。
ここで、延長時間ｔを経過した場合、ＣＰＵ１３はステップＳ５２に動作を移行する。
一方、延長時間ｔを経過していない場合、ＣＰＵ１３はステップＳ４４に動作を戻し、充電完了の待機動作を継続する。
【００６２】
ステップＳ５２：  ここでは、充電開始から所定時間（Ｔ＋ｔ）を経過しても充電が完了しないため、ＣＰＵ１３は、充電指示信号ＯＳＣをローレベルに立ち下げ、充電指示を取り下げる。
【００６３】
ステップＳ５３：  ＣＰＵ１３は、表示部２１の表示を、初期消耗の表示（図４［Ｂ］参照）から、完全消耗の表示（図４［Ｃ］参照）に切り換える。
【００６４】
ステップＳ５４：  ＣＰＵ１３は、タイムアウトフラグ２をセットする。
【００６５】
ステップＳ５５：  第１実施形態のステップＳ１３と同じ処理。
【００６６】
［第３実施形態の効果など］
以上説明したように、第３実施形態では、第１実施形態または第２実施形態と同様の効果を得ることができる。
【００６７】
《実施形態の補足事項》
なお、上述した実施形態では、キセノン管などの発光管１６を使用するケースについて説明した。しかしながら、実施形態はこれに限定されるものではない。例えば、ＬＥＤ光源などを使用した撮影用照明装置に本発明を適用してもよい。
【００６８】
また、上述した実施形態では、所定時間を２段階に切り換えることで、電池消耗の程度を２段階判定している。しかしながら、実施形態はこれに限定されるものではない。例えば、所定時間を３段階以上に切り換えることで、電池消耗の程度を３段階以上にわたって判断してもよい。
【００６９】
なお、撮影用照明装置をカメラに内蔵して一体構成もよい。また、撮影用照明装置とカメラとを別体で構成してもよい。
【００７０】
また、第２実施形態では、電池１２が消耗有りの状態で、所定時間を長めに設定している。しかしながら、実施形態はこれに限定されるものではない。例えば、電池１２が初期消耗（図４［Ｂ］参照）の状態に限って、所定時間を長めに設定する。この場合、所定時間の延長による充電完了の成功率を高めることができる。
【００７１】
なお、第２実施形態では、過去に判定した電池消耗の表示に基づいて、所定時間を可変している（ステップＳ２２〜Ｓ２４）。しかしながら、実施形態はこれに限定されるものではない。例えば、電圧降下信号ＳＴまたは充電指示信号ＯＳＣ′をＣＰＵ１３でモニタすることにより、電池１２の状態をリアルタイムに判定することができる。この判定結果に基づいて、所定時間を可変してもよい。
【産業上の利用可能性】
【００７２】
以上説明したように、本発明は、撮影用照明装置またはカメラシステムなどに利用可能な技術である。
【図面の簡単な説明】
【００７３】
【図１】カメラシステム（撮影用照明装置を含む）のブロック図である。
【図２】電池電圧比較回路１７および充電停止回路１８の回路例を示す図である。
【図３】主コンデンサ１５の充電制御を説明する流れ図である。
【図４】電池１２の消耗表示の一例を示す図である。
【図５】第２実施形態の動作を説明する流れ図である。
【図６】第３実施形態の動作を説明する流れ図である。
【符号の説明】
【００７４】
１１…カメラシステム，１２…電池，１３…ＣＰＵ，１４…昇圧回路，１５…主コンデンサ，１６…発光管，１７…電池電圧比較回路，１８…充電停止回路，１９…発光回路，２０…撮像部，２１…表示部                                                                              
【図１】
2007018854.tif 000003
【図２】
2007018854.tif 000004
【図３】
2007018854.tif 000005
【図４】
2007018854.tif 000006
【図５】
2007018854.tif 000007
【図６】
2007018854.tif 000008